(57)【要約】【課題】回転速度を高めることが可能なスクリュウデカンタ型遠心分離装置を提供する。【解決手段】スクリュウデカンタ型遠心分離装置１は、内胴スクリュウコンベア１７の回転に起因する遠心力を利用して、混合液Ａ１に含まれる固体物Ａ２と液体Ａ３とを分離するスクリュウデカンタ部１０と、スクリュウデカンタ部１０を基礎１００に取り付ける枠状の架台２０と、を備える。架台２０は、長手方向Ｄ１に延びる矩形断面状の長尺部２１と、短手方向Ｄ２に延びる矩形断面状の短尺部２２と、長尺部２１を短尺部２２に連結する連結部２３と、を有する。連結部２３は、本体部３３及び補強部３４を含む。【選択図】図３
2020097002.tif 000002
【特許請求の範囲】
【請求項１】
スクリュウ体の回転に起因する遠心力を利用して、混合液に含まれる固体と液体とを分離するスクリュウデカンタ部と、
前記スクリュウデカンタ部を基礎構造体に取り付ける枠状の架台と、を備え、
前記架台は、
第１方向に延びるように配置されると共に、中空の第１枠材と、
前記第１方向と交差する第２方向に延びるように配置されると共に、中空の第２枠材と、
前記第１枠材を前記第２枠材に連結する連結部と、を有し、
前記連結部は、前記第１枠材の端部に固定される第１固定部及び前記第２枠材の端部に固定される第２固定部を含む本体部と、前記第１固定部と第２固定部との間に掛け渡され、前記第１方向と前記第２方向と交差する方向に広がりを持つ補強部と、を含む、スクリュウデカンタ型遠心分離装置。
【請求項２】
前記第１固定部は、前記第１枠材の第１開口端部を塞ぐように固定され、
前記第２固定部は、前記第１開口端部に隣接する前記第２枠材の第２開口端部を塞ぐように固定される、請求項１に記載のスクリュウデカンタ型遠心分離装置。
【請求項３】
前記第１固定部は、前記第２固定部に連続する第１基辺部と、前記第１基辺部に対向する第１先端辺部とを含み、
前記第２固定部は、前記第１基辺部に連続する第２基辺部と、前記第２基辺部に対向する第２先端辺部とを含み、
前記補強部は、前記第１先端辺部と前記第２先端辺部とを結ぶ対角線より外側に配置された部分を含む、請求項１又は２に記載のスクリュウデカンタ型遠心分離装置。
【請求項４】
前記連結部は、前記第１方向及び前記第２方向のそれぞれに交差する第３方向に延びるように配置されると共に、第１側面、第２側面、第３側面及び第４側面を有し、中空であり断面矩形状の第３枠材を含み、
前記第１側面及び前記第２側面は、前記第１固定部及び前記第２固定部であり、
前記第３側面及び前記第４側面は、前記補強部である、請求項１〜３の何れか一項に記載のスクリュウデカンタ型遠心分離装置。
【請求項５】
前記連結部は、前記第１方向及び前記第２方向のそれぞれに交差する第３方向に延びるように配置されると共に、第１側面、第２側面及び第３側面を有し、中空であり断面三角形状の第３枠材を含み、
前記第１側面及び前記第２側面は、前記第１固定部及び前記第２固定部であり、
前記第３側面は、前記補強部である、請求項１又は２に記載のスクリュウデカンタ型遠心分離装置。
【発明の詳細な説明】
【技術分野】
【０００１】
本発明は、スクリュウデカンタ型遠心分離装置に関する。
【背景技術】
【０００２】
回転機械は、架台を介して基礎構造体に連結される。特許文献１〜３には、回転機械を支持する構造が開示されている。
【先行技術文献】
【特許文献】
【０００３】
【特許文献１】特開２０１６−７５１９４号公報
【特許文献２】特開昭５８−４３２５４号公報
【特許文献３】特表２００２−５０３５５０号
【発明の概要】
【発明が解決しようとする課題】
【０００４】
回転機械として、スクリュウデカンタ型遠心分離装置が知られている。スクリュウデカンタ型遠心分離装置は、遠心力を利用して、混合液を構成する固体と液体とを分離する。このような遠心分離装置の性能は、回転体の回転速度に基づく。従って、回転速度を所望の値に設定することが望まれる。
【０００５】
一方、回転体の回転によれば、回転体の不釣り合いに起因する振動が発生し得ることが知られている。そうすると、当該振動に起因する共振現象の影響を避けるために、遠心分離装置を基礎構造体に連結する架台の固有値は、当該振動の周波数よりも高くすることが求められる。換言すると、架台の固有値を高めることができれば、回転体の回転速度を高めることが可能になる。
【０００６】
上記の事情に鑑みて、本発明は、回転速度を高めることが可能なスクリュウデカンタ型遠心分離装置を提供することを目的とする。
【課題を解決するための手段】
【０００７】
本発明の一形態に係るスクリュウデカンタ型遠心分離装置は、スクリュウ体の回転に起因する遠心力を利用して、混合液に含まれる固体と液体とを分離するスクリュウデカンタ部と、スクリュウデカンタ部を基礎構造体に取り付ける枠状の架台と、を備え、架台は、第１方向に延びるように配置されると共に、中空の第１枠材と、第１方向と交差する第２方向に延びるように配置されると共に、中空の第２枠材と、第１枠材を第２枠材に連結する連結部と、を有し、連結部は、第１枠材の端部に固定される第１固定部及び第２枠材の端部に固定される第２固定部を含む本体部と、第１固定部と第２固定部との間に掛け渡され、第１方向と第２方向と交差する方向に広がりを持つ補強部と、を含む。
【０００８】
この装置は、スクリュウデカンタ部が架台によって基礎構造体に取り付けられる。架台は、中空である矩形断面状の第１及び第２枠材によって構成される。従って、架台の質量を小さくしつつ、それぞれの枠材の曲げ剛性を高めることが可能になる。そして、それぞれの枠材は、連結部によって連結される。この連結部は、第１固定部と第２固定部との間に掛け渡される補強部を有する。この補強部によれば、第１及び第２枠材の連結構造における剛性を高めることができる。従って、この架台は、架台自身の質量を小さくしながら、各部材の剛性及び連結部の剛性を高めることが可能になるので、架台全体の剛性を高めることができる。つまり、架台の固有値を高めることが可能であるので、ひいては、スクリュウデカンタ部のスクリュウ体の回転速度を高めることができる。
【０００９】
一形態において、第１固定部は、第１枠材の第１開口端部を塞ぐように固定され、第２固定部は、第１開口端部に隣接する第２枠材の第２開口端部を塞ぐように固定されてもよい。この構成によれば、それぞれの固定部が開口端部を塞ぐので、端部の剛性を高めることができる。従って、架台全体の剛性をさらに高めることができる。
【００１０】
一形態において、第１固定部は、第２固定部に連続する第１基辺部と、第１基辺部に対向する第１先端辺部とを含み、第２固定部は、第１基辺部に連続する第２基辺部と、第２基辺部に対向する第２先端辺部とを含み、補強部は、第１先端辺部と第２先端辺部とを結ぶ対角線より外側に配置された部分を含んでもよい。この構成によれば、剛性が高い架台を好適に構成することができる。
【００１１】
一形態において、連結部は、第１方向及び第２方向のそれぞれに交差する第３方向に延びるように配置されると共に、第１側面、第２側面、第３側面及び第４側面を有し、中空であり断面矩形状の第３枠材を含み、第１側面及び第２側面は、第１固定部及び第２固定部であり、第３側面及び第４側面は、補強部であってもよい。この構成によれば、１種類の角型鋼材を第１〜第３枠材として利用することが可能になる。従って、架台を容易に構成することができる。
【００１２】
一形態において、連結部は、第１方向及び第２方向のそれぞれに交差する第３方向に延びるように配置されると共に、第１側面、第２側面及び第３側面を有し、中空であり断面三角形状の第３枠材を含み、第１側面及び第２側面は、第１固定部及び第２固定部であり、第３側面は、補強部であってもよい。この構成によれば、連結部の質量を小さくすることが可能になる。従って、架台の質量が小さくなるので、架台の固有値が高まる。よって、架台の剛性をさらに高めることができる。
【発明の効果】
【００１３】
本発明によれば、回転速度を高めることが可能なスクリュウデカンタ型遠心分離装置が提供される。
【図面の簡単な説明】
【００１４】
【図１】図１は、本発明の第１実施形態に係るスクリュウデカンタ型遠心分離装置の構成を示す斜視図である。
【図２】図２は、図１に示したスクリュウデカンタ型遠心分離装置の構成を示す断面図である。
【図３】図３は、図１に示した架台を示す分解斜視図である。
【図４】図４は、図３に示した架台の連結部を示す拡大斜視図である。
【図５】図５は、第２実施形態に係るスクリュウデカンタ型遠心分離装置が備える架台を示す分解斜視図である。
【図６】図６は、図５に示した架台の連結部を拡大して示す拡大斜視図である。
【図７】図７の（ａ）部は実施例１に係る架台の解析モデルであり、図７の（ｂ）部は実施例１の結果を示すコンター図であり、図７の（ｃ）部は実施例２に係る架台の解析モデルであり、図７の（ｄ）部は実施例２の結果を示すコンター図である。
【図８】図８の（ａ）部は比較例１に係る架台の解析モデルであり、図８の（ｂ）部は比較例１の結果を示すコンター図であり、図８の（ｃ）部は比較例２に係る架台の解析モデルであり、図８の（ｄ）部は比較例２の結果を示すコンター図である。
【発明を実施するための形態】
【００１５】
以下、添付図面を参照しながら本発明を実施するための形態を詳細に説明する。図面の説明において同一の要素には同一の符号を付し、重複する説明を省略する。
【００１６】
＜第１実施形態＞
スクリュウデカンタ型遠心分離装置は、様々な分野における固液分離に利用される。例えば、スクリュウデカンタ型遠心分離装置１は、食品、飲料水、薬品、化学製品、鉄鋼製品等の製造プロセスや、屎尿処理、下水処理、スラリー処理、工場排水処理等の水処理に利用される。
【００１７】
図１に示されるように、第１実施形態に係るスクリュウデカンタ型遠心分離装置１は、スクリュウデカンタ部１０と、架台２０とを有する。スクリュウデカンタ部１０は、液体と固体とを含む混合液を、液体と固体とのそれぞれに分離する。架台２０は、スクリュウデカンタ部１０を基礎１００（基礎構造体）に固定する。
【００１８】
スクリュウデカンタ部１０は、外胴ボウル１１と、ケーシング１２と、軸受１４と、本体駆動用モータ１５と、フィートパイプ１６と、内胴スクリュウコンベア１７（図２参照）（スクリュウ体）と、差速制動機１８と、ギヤボックス１９と、を有する。
【００１９】
外胴ボウル１１は、スクリュウデカンタ部１０の長手方向Ｄ１（第１方向）に延びる円筒形状の中空ボウルである。外胴ボウル１１は、ケーシング１２内において両端が軸受１４により回転自在に軸支される。外胴ボウル１１は、フィートパイプ１６から供給された、固体と液体との混合液を収容する。そして、外胴ボウル１１は、本体駆動用モータ１５を動力として回動することにより、遠心力を発生させる。この遠心力により、混合液における固体と液体とが分離される。
【００２０】
図２に示されるように、内胴スクリュウコンベア１７は、胴体１７ａと、胴体１７ａに設けられたスクリュウ羽根１７ｓと、を有する。スクリュウ羽根１７ｓは、胴体１７ａの外周において径方向外方に突出するように螺旋状に巻回して設けられる。内胴スクリュウコンベア１７は、両端が軸受１４により外胴ボウル１１と同心に回転自在に軸支される。そして、内胴スクリュウコンベア１７は、差速制動機１８の動力とギヤボックス１９の遊星歯車機構によって、外胴ボウル１１と同方向に高速回転する。より詳細には、内胴スクリュウコンベア１７は、外胴ボウル１１と相対的な回転速度差を有して回動する。こうして、内胴スクリュウコンベア１７は、外胴ボウル１１内面に堆積された固体物Ａ２をスクリュウ羽根１７ｓによって移動させる。
【００２１】
以下、外胴ボウル１１と内胴スクリュウコンベア１７とによる遠心分離機構について詳述する。
【００２２】
混合液Ａ１（原液）は、フィートパイプ１６および内胴スクリュウコンベア１７を通じて外胴ボウル１１の内部に供給される。外胴ボウル１１と内胴スクリュウコンベア１７とは、矢印Ｂに示されるように同方向に回転（例えば２，０００〜６，０００ｒｐｍ）する。この回転によれば、径方向外方への遠心力が生じる。この遠心力によって、外胴ボウル１１の内壁面側に比重の高い固体物Ａ２が集まり、外胴ボウル１１の中心側に固体物Ａ２よりも比重の低い液体Ａ３が集まる。
【００２３】
液体Ａ３は、新たに外胴ボウル１１に供給された混合液Ａ１により押圧され、清澄液として外胴ボウル１１の大径側に設けられた液体排出口１１ｂから排出される。
【００２４】
内胴スクリュウコンベア１７には、胴体１７ａの外周に沿って螺旋状のスクリュウ羽根１７ｓが形成されている。上述したように、内胴スクリュウコンベア１７は外胴ボウル１１に対して相対的に回転する。例えば、本実施形態の内胴スクリュウコンベア１７の回転数は、外胴ボウル１１の回転数に対して＋１０ｒｐｍ以上＋６０ｒｐｍ程度である。従って、外胴ボウル１１の内壁面に堆積された固体物Ａ２はスクリュウ羽根１７ｓが奏するスクリュウコンベア作用によって右側に移動する。
【００２５】
ここで、外胴ボウル１１は、断面が漸減する円錐形状を有する。この形状によれば、スクリュウ羽根１７ｓによって移動させられた固体物Ａ２は、脱水された状態で、外胴ボウル１１の小径側に設けられた固体物吐出口１１ａから吐出される。ここでは、外胴ボウル１１と内胴スクリュウコンベア１７とが回転している状態で、フィートパイプ１６から混合液Ａ１を連続的に供給することにより、固体物Ａ２と液体Ａ３とが連続的に排出される。
【００２６】
図３に示されるように、架台２０は、平面視して枠状を呈する構造体であり、２本の長尺部２１（第１枠材）と、２本の短尺部２２（第２枠材）と、４個の連結部２３とを有する。長尺部２１、短尺部２２及び連結部２３は、いわゆる角型鋼管により形成される。つまり、１本の角型鋼管を所定の長さに切り分けることにより、架台２０が構成される。このような架台２０によれば、材料コストを低減できる。
【００２７】
長尺部２１は、その延在方向がスクリュウデカンタ部１０の長手方向Ｄ１と一致する。長尺部２１の延在方向における長さは、例えば、スクリュウデカンタ部１０の長手方向Ｄ１における長さよりも長い。長尺部２１は、上面２４と、略正方形の開口が設けられた開口端部２６（第１開口端部）を有する。上面２４には、Ｌ型のアングル材２７（図１参照）が取付られ、当該アングル材２７によって、スクリュウデカンタ部１０が架台２０に連結される。
【００２８】
短尺部２２は、その延在方向がスクリュウデカンタ部１０の長手方向Ｄ１に対して直交する。換言すると、短尺部２２は、その延在方向がスクリュウデカンタ部１０の短手方向Ｄ２（第２方向）と一致する。つまり、短尺部２２の延在方向は、長尺部２１の延在方向と略直交する。短尺部２２の延在方向における長さは、例えば、スクリュウデカンタ部１０の短手方向Ｄ２における長さよりも長い。短尺部２２は、略正方形の開口が設けられた開口端部２８（第２開口端部）を有する。
【００２９】
連結部２３は、枠体部２９（第３枠材）と、防振部３１と、を有する。
【００３０】
図４は、図３における領域Ｓ１の拡大図である。図４に示されるように、枠体部２９は、その延在方向が長手方向Ｄ１及び短手方向Ｄ２のそれぞれと略直交する。つまり、枠体部２９は、その延在方向が上下方向Ｄ３（第３方向）と一致する。枠体部２９は、第１側面２９ａ（第１固定部）と、第２側面２９ｂ（第２固定部）と、第３側面２９ｃと、第４側面２９ｄと、略正方形の開口が設けられた開口端部３２（第３開口端部）と、を有する。長手方向Ｄ１と直交する第１側面２９ａは、第２側面２９ｂ及び第３側面２９ｃと直交する。短手方向Ｄ２と直交する第２側面２９ｂは、第１側面２９ａ及び第４側面２９ｄと直交する。第１側面２９ａ及び第２側面２９ｂは、平面視してＬ字状の本体部３３を構成する。また、第３側面２９ｃ及び第４側面２９ｄは、平面視してＬ字状の補強部３４を構成する。
【００３１】
第１側面２９ａは、略正方形状を呈し、辺部２９ａＢ，２９ａＥを有する。辺部２９ａＢ（第１基辺部）は、上下方向Ｄ３に沿う辺であり、枠状の架台２０における内側に配置される。辺部２９ａＥ（第１先端辺部）は、上下方向Ｄ３に沿う辺であって、辺部２９ａＢに対して対向する。つまり、辺部２９ａＥは、辺部２９ａＢに対して平行であって、枠状の架台２０における外側に配置される。第１側面２９ａは、長尺部２１の開口端部２６に対して溶接される。第１側面２９ａは、開口端部２６を塞ぐように長尺部２１に固定される。より具体的には、第１側面２９ａは、開口端部２６の上辺２６ａ、下辺２６ｂ及び側辺２６ｃ，２６ｄのそれぞれに溶接される。このような接続構成によれば、長尺部２１の開口端部２６における剛性を高めることができる。
【００３２】
第２側面２９ｂは、略正方形状を呈し、辺部２９ｂＢ，２９ｂＥを有する。辺部２９ｂＢ（第２基辺部）は、上下方向Ｄ３に沿う辺であり、枠状の架台２０における内側に配置される。辺部２９ｂＥ（第２先端辺部）は、上下方向Ｄ３に沿う辺であって、辺部２９ｂＢに対して対向する。つまり、辺部２９ｂＥは、辺部２９ｂＢに対して平行であって、枠状の架台２０における外側に配置される。第２側面２９ｂは、長尺部２１の開口端部２８に対して溶接される。第２側面２９ｂは、第１側面２９ａの辺部２９ａＢから起立する。第２側面２９ｂは、開口端部２８を塞ぐように短尺部２２に固定される。より具体的には、第２側面２９ｂは、開口端部２８の上辺２８ａ、下辺２８ｂ及び側辺２８ｃ，２８ｄのそれぞれに溶接される。このような接続構成によれば、短尺部２２の開口端部２８における剛性を高めることができる。
【００３３】
第３側面２９ｃ及び第４側面２９ｄは、補強部３４を構成する。つまり、第３側面２９ｃは、第１側面２９ａの辺部２９ａＥ（第１先端辺部）に連続し、第４側面２９ｄは第２側面の辺部２９ｂＥ（第２先端辺部）に連続する。このような構成を有する第３側面２９ｃ及び第４側面２９ｄは、辺部２９ａＥ，２９ｂＥを結ぶ対角線Ｌ１の外側に配置される。また、補強部３４は、第１側面２９ａの辺部２９ａＥから第２側面２９ｂの辺部２９ｂＥに亘って設けられる。この構成によれば、Ｌ字状を呈する第１側面２９ａ及び第２側面２９ｂにより構成される本体部３３の強度は、補強部３４によってより高められる。
【００３４】
防振部３１は、架台２０を基礎１００に対して固定する。また、防振部３１は、架台２０が基礎１００に固定されたときの固有値を調整する。防振部３１は、上板３１ａと、下板３１ｂと、バネ３１ｃとを有する。上板３１ａは、枠体部２９に対して溶接等により固定される。下板３１ｂは、ボルト締め等により基礎１００に固定される。バネ３１ｃは、上板３１ａと下板３１ｂとの間に挟み込まれる。このような構成によれば、スクリュウデカンタ型遠心分離装置１が基礎１００に固定されたとき、スクリュウデカンタ部１０の質量と、架台２０の質量と、バネ３１ｃの弾性係数と、により、スクリュウデカンタ型遠心分離装置１の固有値が決まる。
【００３５】
このスクリュウデカンタ型遠心分離装置１は、スクリュウデカンタ部１０が架台２０によって基礎１００に取り付けられる。架台２０は、中空である矩形断面状の長尺部２１及び短尺部２２によって構成される。従って、架台２０の質量を小さくしつつ、長尺部２１及び短尺部２２の曲げ剛性を高めることが可能になる。そして、長尺部２１及び短尺部２２は、連結部２３によって連結される。この連結部２３は、第１側面２９ａと第２側面２９ｂとの間に掛け渡される補強部３４を有する。この補強部３４によれば、長尺部２１及び短尺部２２の連結構造における剛性を高めることができる。従って、この架台２０は、架台２０自身の質量を小さくしながら、長尺部２１及び短尺部２２の単体における剛性と、連結部２３の剛性と、を高めることが可能になるので、架台２０全体の剛性を高めることができる。つまり、架台２０の固有値を高めることが可能であるので、ひいては、スクリュウデカンタ部１０の内胴スクリュウコンベア１７の回転速度を高めることができる。
【００３６】
第１側面２９ａは、長尺部２１の開口端部２６を塞ぐように固定される。第２側面２９ｂは、開口端部２６に隣接する短尺部２２の開口端部２８を塞ぐように固定される。この構成によれば、それぞれの第１側面２９ａ及び第２側面２９ｂが開口端部２６，２８をそれぞれ塞ぐので、端部の剛性を高めることができる。従って、架台２０の全体剛性をさらに高めることができる。
【００３７】
第１側面２９ａは、第２側面２９ｂに連続する辺部２９ａＢと、辺部２９ａＢとは逆側の辺部２９ａＥとを含む。第２側面２９ｂは、辺部２９ａＢに連続する辺部２９ｂＢ（第２基辺部）と、辺部２９ｂＢとは逆側の辺部２９ｂＥとを含む。補強部３４は、辺部２９ａＥと辺部２９ｂＥとを結ぶ対角線Ｌ１より外側に配置される。この構成によれば、剛性が高い架台２０を好適に構成することができる。
【００３８】
連結部２３は、長手方向Ｄ１及び短手方向Ｄ２のそれぞれに交差する上下方向Ｄ３に延びるように配置される。さらに、連結部２３は、第１側面２９ａ、第２側面２９ｂ、第３側面２９ｃ及び第４側面２９ｄを含み、中空であり断面矩形状の枠体部２９を有する。第１側面２９ａ及び第２側面２９ｂは、第１固定部及び第２固定部を含む本体部３３を構成する。第３側面２９ｃ及び第４側面２９ｄは、補強部３４である。この構成によれば、１種類の角型鋼管を長尺部２１、短尺部２２及び連結部２３として利用することが可能になる。従って、架台２０を容易に構成することができる。
【００３９】
スクリュウデカンタ部１０が有する固体物吐出口１１ａ及び液体排出口１１ｂは、ケーシング１２の下面から下方に向けて突出する。そうすると、スクリュウデカンタ部１０の下方には、固体物吐出口１１ａ及び液体排出口１１ｂに接続する別の構成物が配置される。ここで、架台２０は、枠状を呈する。そうすると、固体物吐出口１１ａ及び液体排出口１１ｂの下方に固体物Ａ２や液体Ａ３を排出するための別の構成物を配置する領域を形成することが可能になる。従って、スクリュウデカンタ型遠心分離装置１における部品配置の自由度を高めることができる。
【００４０】
＜第２実施形態＞
図５に示されるように、第２実施形態に係るスクリュウデカンタ型遠心分離装置１Ａは、第１実施形態に係るスクリュウデカンタ型遠心分離装置１とは異なる架台２０Ａを有する。以下、架台２０Ａについて詳細に説明し、スクリュウデカンタ部１０の説明については省略する。
【００４１】
架台２０Ａは、長尺部２１と短尺部２２と連結部２３Ａとを有する。つまり。架台２０Ａは、第１実施形態の架台２０Ａとは異なる連結部２３Ａを有する。
【００４２】
図６は、図５における領域Ｓ２の拡大図である。図６に示されるように、連結部２３Ａは、枠体部２９Ａ（第３枠材）と、防振部３１とを有する。枠体部２９Ａは、断面三角形状を呈する。枠体部２９Ａは、第１側面２９ｅ、第２側面２９ｆと、第３側面２９ｇとを有する。第１側面２９ｅは、長尺部２１の開口端部２６に固定される。第２側面２９ｆは、短尺部２２の開口端部２８に固定される。つまり、第１側面２９ｅ及び第２側面２９ｆは、本体部３３Ａを構成する。第３側面２９ｇは、第１側面２９ｅの辺部２９ｅＥから第２側面２９ｆの辺部２９ｆＥへ延びる。つまり、第３側面２９ｇは、補強部３４Ａを構成する。この補強部３４Ａは、対角線Ｌ１よりも外側に配置された部分は有しない。第３側面２９ｇの下方には、防振部３１が設けられる。つまり、防振部３１の上板３１ａは、第１側面２９ｅ及び第２側面２９ｆの内壁面と、第３側面２９ｇの下辺と、に溶接等により固定される。
【００４３】
このような連結部２３Ａによれば、枠体部２９Ａの質量を低減することが可能である。質量の低減は、固有値の向上に寄与する。従って、架台２０Ａによれば、固有値をさらに高めることができる。
【００４４】
実施例１，２を実施することにより架台２０，２０Ａの固有値を評価した。さらに、比較例１，２を実施することにより架台２００，２０１の固有値を得て、架台２０，２０Ａの固有値と比較した。
【００４５】
＜実施例１＞
実施例１では、以下のような代表的な条件において、第１実施形態に係る架台２０の固有値をモーダル解析にて確認した。図７の（ａ）部は実施例１における架台２０を示し、図７の（ｂ）部は計算結果の一例を示す。より詳細には、図７の（ｂ）部は代表的な固有値における変形モードを示すコンター図であり、ハッチングが濃くなるほど変形量が大きいことを示す。なお、変形の程度は理解を容易にするために拡大して示している。実施例１によれば、架台２０の代表的な固有値は、比較例の固有値よりも高いことがわかった。
【００４６】
＜実施例２＞
実施例２では、第２実施形態に係る架台２０Ａの固有値をモーダル解析にて確認した。実施例２のモデルは、主として、実施例１のモデルに対して連結部２３Ａの質量が異なる。その他の代表的な条件は実施例１と同じである。図７の（ｃ）部は実施例２における架台２０Ａを示し、図７の（ｄ）部は計算結果の一例を示す。実施例２によれば、架台２０Ａの代表的な固有値は、実施例１の固有値の１．０３倍であることが分かった。従って、連結部２３Ａの質量を低減することにより、架台２０Ａの固有値を高め得ることがわかった。
【００４７】
＜比較例１＞
比較例１では、比較例１に係る架台２００の固有値をモーダル解析にて確認した。比較例１に係る架台２００は、主要な寸法が架台２０と同じである。一方、架台２００は、長尺部２１Ｂと短尺部２２Ｂとの連結構成が、架台２０と異なる。架台２００では、短尺部２２Ｂの端部及び長尺部２１Ｂの端部が４５度の角度で切り落とされている。そして、斜面となった端部同士が互いに接合されている。従って、短尺部２２Ｂの端部及び長尺部２１Ｂの端部は開口されたままである。図８の（ａ）部は比較例１における架台２００を示し、図８の（ｂ）部は計算結果の一例を示す。比較例１によれば、架台２００の代表的な固有値は、実施例１の固有値の０．６３倍あることがわかった。従って、実施例１，２に係る架台２０，２０Ａは、比較例１に係る架台２００よりも高い固有値を有することがわかった。
【００４８】
＜比較例２＞
比較例２では、比較例２に係る架台２０１の固有値をモーダル解析にて確認した。比較例２に係る架台２０１は、主要な寸法が架台２０と同じである。一方、架台２０１は、長尺部２１Ｃと短尺部２２Ｃとの連結構成が、架台２０と異なる。架台２０１では、短尺部２２Ｃの端部が長尺部２１Ｃの側面に固定されている。従って、短尺部２２Ｃの端部は閉鎖されているが、長尺部２１Ｃの端部は開口されたままである。図８の（ｃ）部は比較例２における架台２０１を示し、図８の（ｄ）部は計算結果の一例を示す。比較例２によれば、架台２０１の代表的な固有値は、実施例１の固有値の０．８８倍であることがわかった。従って、実施例１，２に係る架台２０，２０Ａは、比較例２に係る架台２０１よりも高い固有値を有することがわかった。
【００４９】
以上、本発明の実施形態について説明したが、上記実施形態に限定されることなく様々な形態で実施される。
【符号の説明】
【００５０】
１，１Ａ  スクリュウデカンタ型遠心分離装置
１０  スクリュウデカンタ部
１１  外胴ボウル
１１ａ  固体物吐出口
１１ｂ  液体排出口
１２  ケーシング
１４  軸受
１５  本体駆動用モータ
１６  フィートパイプ
１７  内胴スクリュウコンベア（スクリュウ体）
１７ａ  胴体
１７ｓ  スクリュウ羽根
１８  差速制動機
１９  ギヤボックス
２０，２０Ａ，２００，２０１  架台
２１，２１Ｂ，２１Ｃ  長尺部（第１枠材）
２２，２２Ｂ，２２Ｃ  短尺部（第２枠材）
２３，２３Ａ  連結部
２４  上面
２６，２８，３２  開口端部
２６ａ，２８ａ  上辺
２６ｂ，２８ｂ  下辺
２６ｃ，２８ｃ  側辺
２６ｄ，２８ｄ  側辺
２７  アングル材
２９，２９Ａ  枠体部（第３枠材）
２９ａ，２９ｅ  第１側面（第１固定部）
２９ｂ，２９ｆ  第２側面（第２固定部）
２９ｃ，２９ｇ  第３側面
２９ｄ  第４側面
２９ａＢ  辺部（第１基辺部）
２９ａＥ  辺部（第１先端辺部）
２９ｂＢ  辺部（第２基辺部）
２９ｂＥ  辺部（第２先端辺部）
２９ｅＥ，２９ｆＥ  辺部
３１  防振部
３１ａ  上板
３１ｂ  下板
３１ｃ  バネ
３３，３３Ａ  本体部
３４，３４Ａ  補強部
１００  基礎（基礎構造体）
Ａ１  混合液
Ａ２  固体物
Ａ３  液体
Ｂ  矢印
Ｄ１  長手方向（第１方向）
Ｄ２  短手方向（第２方向）
Ｄ３  上下方向（第３方向）
Ｌ１  対角線
Ｓ１  領域
【図１】
2020097002.tif 000003
【図２】
2020097002.tif 000004
【図３】
2020097002.tif 000005
【図４】
2020097002.tif 000006
【図５】
2020097002.tif 000007
【図６】
2020097002.tif 000008
【図７】
2020097002.tif 000009
【図８】
2020097002.tif 000010